(57)【要約】【課題】体ケース３に囲まれ、基台２上に置く展示台１１上の展示物を下方から照明する場合に、照明装置の光源の熱を展示物に与えないようにする。【解決手段】基台２の上面板４に対して着脱可能な展示台１１に面照明装置１２を組み込み、それから離れた位置である基台２の内部に光源５０を備えた制御ボックス１３を配置し、制御ボックス１３に接続した導光管５１の先端のカプラ５２を上面板４の平面視略中央部位に穿設した装着孔５５の下方位置に固定し、面照明装置１２の多数本の光ファイバーケーブル４５の先端を束ねた接続用コネク４７を、展示台１１で隠れる部位でカプラ５２に着脱可能に接続する。【選択図】　図９
2004041555.tif 000002
【特許請求の範囲】
【請求項１】
少なくとも基台と、該基台の上面板に対して着脱自在可能な展示台とからなる展示装置であって、前記展示台には、当該展示台における展示物載置面を下方から照明する面発光体と、該面発光体に接続する複数の光ファイバーケーブルと該光ファイバーケーブルの基端に取り付けられた接続用コネクタとを備え、
前記基台には、光源を備えた照明装置と、該光源の光を導く導光管と、該導光管の先端に設けられ、前記接続用コネクタに対して着脱自在可能なカプラとを備えたことを特徴とする展示装置。
【請求項２】
前記基台の上面板またはその下方であって、該上面板に前記展示台を載置した場合に覆われる部位に前記カプラを固定したことを特徴とする請求項１に記載の展示装置。
【請求項３】
前記照明装置には、前記光源の電源スイッチ及び光量の調節部を備えたことを特徴とする請求項１または２に記載の展示装置。
【発明の詳細な説明】
【０００１】
【発明の属する技術分野】
本発明は、美術館や博物館、商店等において美術品、商品等の展示物を展示する展示ケースのような展示装置の構成に係り、より詳しくは、展示物の下方から照明する照明手段を備えた構成に関するものである。
【０００２】
【従来の技術】
従来、床面の照明装置として、特開平８−２３９９８８号公報では、ガラス板等の透明または半透明の支持板の下方に面発光体を平行状に配置し、該面発光体におけるアクリル板等の導光体の板厚さ方向の端面に蛍光灯等の光源を配置し、前記導光体の裏面に光拡散用に網目パターンが印刷され、この導光体の裏面に光反射板を貼り付ける一方、前記導光体の表面側に光拡散板を貼り付けて構成したものが開示されている。
【０００３】
また、展示物に対する照明装置として、特開平９−２８５３７１号公報では、多数透かし孔を有する台パネルに展示物を載置するものとし、前記台パネルを支える台枠内に蛍光灯等の照明光源を配置し、前記台パネルの表面又は裏面に透明または半透明の板を配置したものが開示されている。
【０００４】
【発明が解決しようとする課題】
前記先行技術では、前記のような面的照明のための光源は、台枠等の密閉された個所に配置されていたため、密閉個所内に籠もった熱及び光源から発生する熱を外部に排出するための手段が別途必要となる。
【０００５】
特に、前記面的な照明装置を密閉したケース内に配置した場合、当該ケース内に前記光源の熱が籠もり易い。美術館や博物館等における展示物に対しては温度湿度等の環境を厳重に管理する必要があることから、前記先行技術のような照明装置を採用できなかった。
【０００６】
本発明は、このような従来の問題点に鑑み、展示物に光源の熱の影響を与えないようにした面照明手段付きの展示装置を提供することを技術的課題とするものである。
【０００７】
【課題を解決するための手段】
この技術的課題を解決するため、請求項１の発明は、少なくとも基台と、該基台の上面板に対して着脱自在可能な展示台とからなる展示装置であって、前記展示台には、当該展示台における展示物載置面を下方から照明する面発光体と、該面発光体に接続する複数の光ファイバーケーブルと該光ファイバーケーブルの基端に取り付けられた接続用コネクタとを備え、前記基台には、光源を備えた照明装置と、該光源の光を導く導光管と、該導光管の先端に設けられ、前記接続用コネクタに対して着脱自在可能なカプラとを備えたことを特徴とするものである
請求項２に記載の発明は、請求項１に記載の展示装置において、前記基台の上面板またはその下方であって、該上面板に前記展示台を載置した場合に覆われる部位に前記カプラを固定したことを特徴とするものである。
【０００８】
また、請求項３に記載の発明は、請求項１または２に記載の展示装置において、前記照明装置には、前記光源の電源スイッチ及び光量の調節部を備えたものである。
【０００９】
【発明の実施の形態】
次に、本発明を具体化した実施形態を図面に基づいて説明する。図１〜図９は本発明を適用した第１実施形態を示している。ここで、図１は展示装置の全体構成を示す斜視図、図２は昇降機構の斜視図、図３は基台の正断面図、図４は基台の側断面図、図４は展示装置の側断面図、図５は配線用管体を示す側断面図、図６は展示台の平面図、図７は展示台の一部切欠き拡大断面図、図８は展示台の部品の一部分解斜視図、図９は展示台の配置を示す説明図である。
【００１０】
展示装置１は、上面板４を備えた略箱型の基台２と、この基台２の前記上面板４よりも上方の展示空間Ｓを取り囲む硬化ガラス板や高透過率ガラス板等の透明板３１からなる下向き開口状のケース本体３とを備えている。
【００１１】
図１及び図２に示すように、基台２は、鋼材やアルミ材製等の本の支柱及び多数本の上下水平フレームにからなる枠体６にて構成されている。基台２の外周面のうち背面及び左右両側面には、化粧板５が張設されている。開口状の前面には、この開口を開閉可能に塞ぐ左右回動式の開閉扉７が上下一対のヒンジ体８，８を介して略９０度以上開くように取付けられている（図１及び図４参照）。
【００１２】
基台２の内部には、その上方のケース本体３を基台２に対して昇降させる昇降機構１０のほか、昇降機構１０を駆動操作するための操作スイッチ１５、後述するように、基台２の上面板４に対して着脱自在に載置できる展示台１１における面照明装置１２に対する制御ボックス１３、ケース本体３の天蓋体３２（詳細は後述する）の下面に設けた照明装置３３の光量を調節する調光ボックス１４等の各種操作部や、図示しない制御盤等が内装されている（図１参照）。
【００１３】
基台２内の上部側に上向き開口略箱型の収納部３４が設けられており、この収納部３４内に、展示空間Ｓ内の湿度を一定に保持するための調湿材等が配置されている（図２参照）。なお、前記収納部３４と前記上面板４の外周との間に空気流通のための隙間が形成されており、これにより、調湿材で湿度を調整した調和空気が、展示空間Ｓ内に送り込まれる。
【００１４】
通常、基台２の前面開口部は、前述した開閉扉７で閉止されているので、基台２内の収納部３４や各種操作部等は、展示装置１の前方から見えなくなっている（隠されている）。なお、前記開閉扉７のロック装置は、図示しないが超音波による遠隔操作で解錠、施錠できる構成であって、開閉扉７の表面側には鍵穴等の突出部が存在しない。
【００１５】
基台２における下面の四隅部には、据付に際しての水平を出すため、高さ調節用のアジャスタ３５（実施形態では４つ）が取付けられており、前記四隅部よりも内側の部位には複数のキャスタ３６が取付けられている（実施形態では４つ、図１及び図３参照）。
【００１６】
図１及び図２に示すように、ケース本体３は、基台２の上方に位置する展示空間Ｓの四周を取り囲む硬化ガラス板等の４枚の透明板３１と、４枚の透明板３１における下端部を支持する平面視矩形状または正方形状の下枠部材３７と、これら４枚の透明板３１の上端側の開口を塞ぐ透明な天板３８と、その上方に配置された照明装置３３付きの開閉可能な天蓋体３２とにより構成されている。前記天板３８には前記照明装置３３からの光の向きを調節するルーバ等を備えている。
【００１７】
各透明板３１の下端部は、シリコン樹脂製等のコーキング剤を介して下枠部材３７の外周部に接着固定されている（図６参照）。そして、各透明板３１の上端部と天板３８との接続部も、コーキング作用を有するシリコン樹脂製等の接着剤（コーキング剤）を介して接着固定され、密閉されている。
【００１８】
次に、図２及び図３を参照しながら、昇降機構１０の構造について説明する。
【００１９】
図３に示すように、基台２内の枠体６の下部位置には、正逆回転可能な駆動モータ１６とその出力軸のプーリに巻掛けした無端帯を介して駆動される第１傘歯車ボックス１７と、これにて回転する１本の横伝動軸１８と、枠体６の下部の左右両側の中央部に配置した左右一対の第２傘歯ボックス１９、１９と、左右両第２傘歯ボックス１９、１９に接続された回転のみ可能なねじ軸２０、２１と、各ねじ軸（ボールネジ軸でも良い）２０、２１にそれぞれ螺合させた横梁部材２２と、この各横梁部材２２、２２の長手両端に立設する支持軸２３とからなる。前記２本の横梁部材２２から上向き突出する合計４本の昇降支柱２３は、枠体６における上端の平面視四角状の横フレーム６ａを上下に貫通し、前記ケース本体３の下枠部材３７を支持するように構成されている。
【００２０】
前記左右のねじ軸２０、２１はネジ溝は、互いに逆向き（右ネジと左ネジと）に形成されており、左右のねじ軸２０、２１の上端は前記横フレーム６ａに設けた軸受（図示せず）を介して回転のみ自在に軸支されている。従って、駆動モータ１６の回転により、両ねじ軸２０、２１は互いに逆回転し、それに螺合した一対の横梁部材２２、２２は同じ方向に昇降するように構成されている。これにより、前記４本の昇降支柱２３が一斉に下降して、ケース本体３の下端の下部枠部材３７が前記横フレーム６ａに当接すると、展示空間Ｓは密閉される。その場合、前記下部枠部材３７の下面または横フレーム６ａの上面（但し、前記昇降支柱２３の貫通孔より平面視で内方側）にパッキンを張設することで密閉度を高める。逆に４本の昇降支柱２３を一斉に上昇させると、前記基台２の上面板より上方が開放できる。
【００２１】
なお、前記昇降部材２３は、基台２の上端側である平面視矩形状の横フレーム６ａの角部を避けた位置から突出するように構成されており（図２参照）、他方、本体ケース３の角部（２枚のガラス板３１が平面視で直交して接続する部分の内角部）には、前記天井側の照明装置３３への配線２４が通る配線管２５を配置し、該配線管２５の上端は天蓋体３２の下面部材にシールのためのパッキンを介してナットで締結している（図５参照）。配線管２５の下部は、下枠部材３７の隅部に下向きに貫通させ、その個所をパッキンにてシールする一方、基台２における横フレーム６ａに上下同可能に貫通させ、本体ケース３を最大限上昇させたときにも、配線管２５の下端が横フレーム６ａから外れないように下向きに延長させている。
【００２２】
次に、本発明に係る展示台１１及びその配線の構成について説明すると、図６に示すように平面視四角状の展示台１１は、その外周の機枠４０と、該機枠４０の下部側に水平に配置する面発光装置１２と、該面発光装置１２の上方に適宜空間を隔てて水平に配置する展示物Ｔの載置板４１とからなる。面発光装置１２は３側部が前記機枠４０に支持された透明板４２と、該透明板４２の一側端面に連結する投光体４３とからなる。前記透明板４２は、アクリル樹脂透明板またはガラス板等であって、その表面（上面）には、白色の網点パターン部４４が印刷等により形成されている。投光体４４は、光ファイバーを内臓した多数本のケーブル４５の先端部を断面コ字状の接続体４６に短い間隔（例えば、８０本の光ファイバーケーブル４５を７ミリ間隔で配置する等）で一列状に貫通させ、前記透明板４２の一側端面（入光面）に、前記各光ファイバーケーブル４５の先端部（出光部）が当接または近接させるように、接続体４６を被嵌させたものであり、実施形態では、透明板４２の一側端面に対して前記接続体４６は水平方向着脱可能に構成されている。そして、前記透明板４２の前記入光面以外の３側端面は、前記入光面からの光が漏出しないように白色または金属色の反射面とするように反射部材が貼着されている。前記多数本の光ファイバーケーブル４５の他端（基端）は束ねて接続用コネクタ４７に連結している（図８参照）。
【００２３】
前記展示台１１における載置板４１の４側は前記機枠４０により囲まれて横移動不能であるが上向きには着脱可能に配置されている。また、載置板４０は透明または透光性を有する半透明なガラス板等により構成され、前記面発光体１２からの光を上方に透過させ、当該載置板４０の広幅面全体が明るくなり、載置板４０に載置された展示物Ｔの周囲を下方から照明できるように構成されている。前記面発光体１２からの光で前記載置板４０の広幅面全体に略均一の照度となるようにするため（光の乱反射を均一にするため）には、乳白色等の半透明であることが好ましい。載置板４０に透明ガラス板を使用するときには、その裏面（面発光体１２と対面する側）または表面に乱反射を促進するための半透明等のフィルム４８を貼り合わせることが好ましい。前記機枠４０の上下面板や前記接続体４６等が載置板４０を通して上方から見えることは、展示効果を減殺するので、当該載置板４０の下面側に枠状のマスキング体４９を配置する（図８参照）。
【００２４】
他方、光源５０を備えた照明装置である制御ボックス１３は、前記展示台１１から遠くに離れた位置に、例えば、前記基台２内に配置する。前記光源５０からの光を導く導光管５１の基端は前記制御ボックス１３に接続されており、該導光管５１の先端には接続用のカプラ５２が取り付けられている。制御ボックス１３には、前記光源５０の光量を強弱調節するためのボリューム等の調節機器５３や電源のＯＮ・ＯＦＦのための電源スイッチ５４等が備えられている。これにより、展示物Ｔの大きさ等に応じて最適の照明効果（展示効果）を有するように光量を調節でき、且つ遠隔操作で照明調節でき、使用しないときには電源も展示台から離れた遠隔操作で実行できる。
【００２５】
前記基台２における上面板４の平面視略中央部位に穿設された装着孔５５より下方の取り付け部５６（板等）に、前記カプラ５２を固定する。その場合、カプラ５２における前記接続用コネクタ４７との接続部（孔状等）は上向きにしてあり、前記装着孔５５に上方から挿入した接続用コネクタ４７との接続が容易になるように構成されている。前記取り付け部５６と上面板４との上下間隔を接続用コネクタ４７の全長より若干短く設定することより、前記装着孔５５に縦方向に挿入した接続用コネクタ４７の上端が面発光体１２の下面につかえないようにでき、ひいては載置台１１の全体の高さを低くすることができる。また、接続用コネクタ４７をカプラ５２に対して着脱自在する作業時に接続用コネクタ４７を手で掴み易いようにすることが好ましい。上面板４を取り付け部５６（板等）に対して着脱可能とした場合、上面板４が横位置にずれるのを防止するため、上面板４の下面に突設した足４ａに被嵌する係止部５７を取り付け部（板）５６に固定しておくことが好ましい（図９（ａ）及び図９（ｂ）参照）。前記装着孔５５は使用しない場合には図示しないキャップで覆うことにより、目立たなくすることが容易にできる。
【００２６】
一般的に、展示台１１の平面視の略中央部に展示物Ｔを載置することが多いから、前記展示台１１をその平面視の略中央部が前記上面板４の平面視略中央部位の前記装着孔５５の位置に対応するように配置したとき、この装着孔５５を介して接続用コネクタ４７を縦方向に連結すると、前記展示物Ｔにより接続用コネクタ４７やその装着孔５５が隠れ易くなり、展示効果を減殺しないという効果を奏する。
【００２７】
前記実施形態では、基台２上の展示台１１及びその展示物Ｔを本体ケース３で覆った密閉状態としたが、本体ケースが上下に昇降せず、側面または天井面のガラス板等が開放可能なタイプにも、本発明を適用できるし、本体ケースで覆わないオープンタイプの展示装置や、建物の一部を路上等の外部と仕切るショーウインドタイプのものであっても基台上に本発明の展示台を載置でき、その光源（発熱源）を展示個所から放すことが簡単にできる。
【００２８】
従って、前述のように、面発光体を備えた展示台１１に対して、その照明装置である光源５０を遠くに配置することより、光源５０から発生する熱を密閉した本体ケース３内に籠もることを防止できる。
【００２９】
【発明の効果】
上述したように、請求項１の発明によれば、少なくとも基台と、該基台の上面板に対して着脱自在可能な展示台とからなる展示装置であって、前記展示台には、当該展示台における展示物載置面を下方から照明する面発光体と、該面発光体に接続する複数の光ファイバーケーブルと該光ファイバーケーブルの基端に取り付けられた接続用コネクタとを備え、前記基台には、光源を備えた照明装置と、該光源の光を導く導光管と、該導光管の先端に設けられ、前記接続用コネクタに対して着脱自在可能なカプラとを備えたことを特徴とするものである
従って、光源から発生する熱を展示台の近くに配置することなく、遠い位置に配置でき、且つ展示台側に連結された光ファイバーケーブルとその接続用コネクタは、基台側に設けたカプラと着脱可能であるから、展示台を任意の位置に移動させたり、取り外すことことができるという効果を奏する。
【００３０】
請求項２に記載の発明は、請求項１に記載の展示装置において、前記基台の上面板またはその下方であって、該上面板に前記展示台を載置した場合に覆われる部位に前記カプラを固定したことを特徴とするものであるから、接続用コネクタとカプラとの接続位置の部品を展示台自体で隠すことができるから、請求項１に記載の発明の効果に加えて、展示効果を減殺しないという効果を奏する。
【００３１】
また、請求項３に記載の発明は、請求項１または２に記載の展示装置において、前記照明装置には、前記光源の電源スイッチ及び光量の調節部を備えたものであるから、展示台に載置する展示物もしくは時間（昼夜の別）に応じて最適の照明効果（展示効果）を奏するように、光の強さを遠隔調節できるし、不必要なときには電源を簡単に切る（ＯＦＦ）することができるという効果を奏する。
【図面の簡単な説明】
【図１】展示装置の全体構成を示す斜視図である。
【図２】図２は昇降機構の斜視図である。
【図３】基台の正断面図である。
【図４】展示装置の側断面図である。
【図５】配線管及び本体ケースの下端部を示す側断面図である。
【図６】展示台の平面図である。
【図７】図６のＶＩＩ　−ＶＩＩ　線矢視で示す展示台の一部切欠き拡大断面図である。
【図８】展示台の部品の一部分解斜視図である。
【図９】（ａ）は展示台を外した状態のカプラ等の位置を示す断面図、（ｂ）は展示台を上面板４上にセットした状態を示す断面図である。
【符号の説明】
１　展示装置
２　基台
３　ケース本体
６　枠体
１０　昇降機構
１１　展示台
１２　面照明装置
１３　制御ボックス
４０　機枠
４１　載置板
４２　透明板
４３　投光体
４５　光ファイバーケーブル
４６　接続体
４７　接続用コネクタ
５０　光源
５１　導光管
５２　カプラ
５５　装着孔
【図１】
2004041555.tif 000003
【図２】
2004041555.tif 000004
【図３】
2004041555.tif 000005
【図４】
2004041555.tif 000006
【図５】
2004041555.tif 000007
【図６】
2004041555.tif 000008
【図７】
2004041555.tif 000009
【図８】
2004041555.tif 000010
【図９】
2004041555.tif 000011